【手続補正書】
【提出日】平成30年2月9日(2018.2.9)
【手続補正１】
【補正対象書類名】特許請求の範囲
【補正対象項目名】全文
【補正方法】変更
【補正の内容】
【特許請求の範囲】
【請求項１】
ワイヤレス通信システムにおいて通信を管理するための方法であって、
第１のアクセスポイントと１つまたは複数の第２のアクセスポイントとの間にアクセスポイント間通信リンクを確立することと、
前記アクセスポイント間通信リンクを介して前記１つまたは複数の第２のアクセスポイントから１つまたは複数の性能統計を、前記第１のアクセスポイントにおいて受信することと、
前記受信された性能統計と、前記受信された性能統計に少なくとも部分的に基づいたモバイルデバイスと前記１つまたは複数の第２のアクセスポイントの間の確立された通信とに少なくとも部分的に基づいて、前記モバイルデバイスと前記第１のアクセスポイントとの間の確立された通信を、前記第１のアクセスポイントによって、管理することと、
前記受信された性能統計に少なくとも部分的に基づいて、前記モバイルデバイスと前記１つまたは複数の第２のアクセスポイントとの間の前記確立された通信に、前記モバイルデバイスと前記第１のアクセスポイントとの間の前記確立された通信のデータフローの一部を移送することと
を備える方法。
【請求項２】
前記モバイルデバイスへのまたはそれからの通信を管理することは、少なくとも、前記第１のアクセスポイントと前記１つまたは複数の第２のアクセスポイントとの間でのリソースの集中スケジューリング、キャリア割振り、またはデータフローのうちの１つまたは複数を管理することを備える、請求項１に記載の方法。
【請求項３】
前記１つまたは複数の性能統計を受信することは、
前記モバイルデバイスおよび前記１つまたは複数の第２のアクセスポイントのうちの少なくとも１つについての１つまたは複数の性能統計を受信すること
を備える、請求項１に記載の方法。
【請求項４】
通信を管理することは、
前記モバイルデバイスが前記第１のアクセスポイントに知られているかまたはそれと通信状態にあるときに、１つまたは複数のデータフローの少なくとも一部を前記１つまたは複数の第２のアクセスポイントから前記第１のアクセスポイントに切り替えるかどうかを決定するために前記１つまたは複数の性能統計を使用すること
を備える、請求項１に記載の方法。
【請求項５】
通信を管理することは、
前記モバイルデバイスが前記第１のアクセスポイントと通信状態にあるときに、１つまたは複数のデータフローの少なくとも一部を前記第１のアクセスポイントから前記１つまたは複数の第２のアクセスポイントに切り替えるかどうかを決定するために前記１つまたは複数の性能統計を使用すること
を備える、請求項１に記載の方法。
【請求項６】
前記１つまたは複数の性能統計を報告するよう求める要求を、前記１つまたは複数の第２のアクセスポイントに送信すること
をさらに備える、請求項１に記載の方法。
【請求項７】
前記要求は、周期的にかまたはイベントトリガが発生したときにかのいずれかに前記１つまたは複数の性能統計を報告する命令を備える、請求項６に記載の方法。
【請求項８】
前記１つまたは複数の性能統計は、前記モバイルデバイスおよび前記１つまたは複数の第２のアクセスポイントのうちの少なくとも１つについての１つまたは複数の性能統計を備え、
前記イベントトリガは、前記モバイルデバイスおよび前記１つまたは複数の第２のアクセスポイントのうちの少なくとも１つについての前記性能統計のうちの少なくとも１つが閾値を満たすと発生する、
請求項７に記載の方法。
【請求項９】
前記１つまたは複数の性能統計は、前記モバイルデバイスによる無線リソース使用量、パケットの伝送遅延、前記モバイルデバイスへのまたはそれからのサーブドスループットを示す統計のうちの少なくとも１つを備える、請求項１に記載の方法。
【請求項１０】
前記１つまたは複数の性能統計は、前記モバイルデバイスと前記１つまたは複数の第２のアクセスポイントとの間のチャネル情報、および少なくとも１つのアクセスポイントについての前記モバイルデバイスによって測定された信号品質に関する少なくとも１つの統計を備える、請求項１に記載の方法。
【請求項１１】
前記１つまたは複数の性能統計は、前記アクセスポイント間通信リンクのローディングまたは利用に関する少なくとも１つの統計を備える、請求項１に記載の方法。
【請求項１２】
前記第１のアクセスポイントは、発展型ノードＢ（ｅＮＢ）を備え、
前記１つまたは複数の第２のアクセスポイントは、ワイヤレスローカルエリアネットワーク（ＷＬＡＮ）アクセスポイントを備える、
請求項１に記載の方法。
【請求項１３】
ワイヤレス通信システムにおいて通信を管理するための装置であって、
プロセッサと、
前記プロセッサと電子通信状態にあるメモリと、
前記メモリに記憶された命令と
を備え、前記命令は、
第１のアクセスポイントと１つまたは複数の第２のアクセスポイントとの間にアクセスポイント間通信リンクを確立することと、
前記アクセスポイント間通信リンクを介して前記１つまたは複数の第２のアクセスポイントから１つまたは複数の性能統計を、前記第１のアクセスポイントにおいて受信することと、
前記受信された性能統計と、前記受信された性能統計に少なくとも部分的に基づいたモバイルデバイスと前記１つまたは複数の第２のアクセスポイントの間の確立された通信とに少なくとも部分的に基づいて、前記モバイルデバイスと前記第１のアクセスポイントとの間の確立された通信を、前記第１のアクセスポイントによって、管理することと、
前記受信された性能統計に少なくとも部分的に基づいて、前記モバイルデバイスと前記１つまたは複数の第２のアクセスポイントとの間の前記確立された通信に、前記モバイルデバイスと前記第１のアクセスポイントとの間の前記確立された通信のデータフローの一部を移送することと
を行うために前記プロセッサによって実行可能である、装置。
【請求項１４】
前記モバイルデバイスへのまたはそれからの通信を管理することは、少なくとも、前記第１のアクセスポイントと前記１つまたは複数の第２のアクセスポイントとの間でのリソースの集中スケジューリング、キャリア割振り、またはデータフローのうちの１つまたは複数を管理することを備える、請求項１３に記載の装置。
【請求項１５】
前記命令は、
前記モバイルデバイスおよび前記１つまたは複数の第２のアクセスポイントのうちの少なくとも１つについての１つまたは複数の性能統計を受信すること
を行うために前記プロセッサによって実行可能である、請求項１３に記載の装置。
【請求項１６】
前記命令は、
前記モバイルデバイスが前記第１のアクセスポイントに知られているかまたはそれと通信状態にあるときに、１つまたは複数のデータフローの少なくとも一部を前記１つまたは複数の第２のアクセスポイントから前記第１のアクセスポイントに切り替えるかどうかを決定するために前記１つまたは複数の性能統計を使用すること、
を行うために前記プロセッサによって実行可能である、請求項１３に記載の装置。
【請求項１７】
前記命令は、
前記モバイルデバイスが前記第１のアクセスポイントと通信状態にあるときに、１つまたは複数のデータフローの少なくとも一部を前記第１のアクセスポイントから前記１つまたは複数の第２のアクセスポイントに切り替えるかどうかを決定するために前記１つまたは複数の性能統計を使用すること
を行うために前記プロセッサによって実行可能である、請求項１３に記載の装置。
【請求項１８】
前記命令は、
前記１つまたは複数の性能統計を報告するよう求める要求を前記１つまたは複数の第２のアクセスポイントに送信すること
を行うために前記プロセッサによって実行可能である、請求項１３に記載の装置。
【請求項１９】
前記要求は、周期的にかまたはイベントトリガが発生したときにかのいずれかに前記１つまたは複数の性能統計を報告する命令を備える、請求項１８に記載の装置。
【請求項２０】
前記１つまたは複数の性能統計は、前記モバイルデバイスおよび前記１つまたは複数の第２のアクセスポイントのうちの少なくとも１つについての１つまたは複数の性能統計を備え、
前記イベントトリガは、前記モバイルデバイスおよび前記１つまたは複数の第２のアクセスポイントのうちの少なくとも１つについての前記性能統計のうちの少なくとも１つが閾値を満たすと発生する、
請求項１９に記載の装置。
【請求項２１】
前記１つまたは複数の性能統計は、前記モバイルデバイスによる無線リソース使用量、パケットの伝送遅延、前記モバイルデバイスへのまたはそれからのサーブドスループットを示す統計のうちの少なくとも１つを備える、請求項１３に記載の装置。
【請求項２２】
前記１つまたは複数の性能統計は、前記モバイルデバイスと前記１つまたは複数の第２のアクセスポイントとの間のチャネル情報、および少なくとも１つのアクセスポイントについての前記モバイルデバイスによって測定された信号品質に関する少なくとも１つの統計を備える、請求項１３に記載の装置。
【請求項２３】
前記１つまたは複数の性能統計は、前記アクセスポイント間通信リンクのローディングまたは利用に関する少なくとも１つの統計を備える、請求項１３に記載の装置。
【請求項２４】
ワイヤレス通信システムにおいて通信を管理するための装置であって、
第１のアクセスポイントと１つまたは複数の第２のアクセスポイントとの間にアクセスポイント間通信リンクを確立するための手段と、
前記アクセスポイント間通信リンクを介した前記１つまたは複数の第２のアクセスポイントから１つまたは複数の性能統計を、前記第１のアクセスポイントにおいて受信するための手段と、
前記受信された性能統計と、前記受信された性能統計に少なくとも部分的に基づいたモバイルデバイスと前記１つまたは複数の第２のアクセスポイントの間の確立された通信とに少なくとも部分的に基づいて、前記モバイルデバイスと前記第１のアクセスポイントとの間の確立された通信を、前記第１のアクセスポイントによって、管理するための手段と、
前記受信された性能統計に少なくとも部分的に基づいて、前記モバイルデバイスと前記１つまたは複数の第２のアクセスポイントとの間の前記確立された通信に、前記モバイルデバイスと前記第１のアクセスポイントとの間の前記確立された通信のデータフローの一部を移送するように構成されたプロセッサと
を備える装置。
【請求項２５】
前記モバイルデバイスへのまたはそれからの通信を管理することは、少なくとも、前記第１のアクセスポイントと前記１つまたは複数の第２のアクセスポイントとの間でのリソースの集中スケジューリング、キャリア割振り、またはデータフローのうちの１つまたは複数を管理することを備える、請求項２４に記載の装置。
【請求項２６】
前記１つまたは複数の性能統計を受信するための前記手段は、
前記モバイルデバイスおよび前記１つまたは複数の第２のアクセスポイントのうちの少なくとも１つについての１つまたは複数の性能統計を受信するための手段
を備える、請求項２４に記載の装置。
【請求項２７】
前記１つまたは複数の性能統計を報告するよう求める要求を、前記１つまたは複数の第２のアクセスポイントに送信するための手段
をさらに備える、請求項２４に記載の装置。
【請求項２８】
前記要求は、周期的にかまたはイベントトリガが発生したときにかのいずれかに前記１つまたは複数の性能統計を報告する命令を備える、請求項２７に記載の装置。
【請求項２９】
前記１つまたは複数の性能統計は、前記モバイルデバイスおよび前記１つまたは複数の第２のアクセスポイントのうちの少なくとも１つについての１つまたは複数の性能統計を備え、
前記イベントトリガは、前記モバイルデバイスおよび前記１つまたは複数の第２のアクセスポイントのうちの少なくとも１つについての前記性能統計のうちの少なくとも１つが閾値を満たすと発生する、
請求項２８に記載の装置。
【請求項３０】
ワイヤレス通信システムにおいて通信を管理するためのコンピュータプログラム製品であって、前記コンピュータプログラム製品は、命令を記憶している非一時的コンピュータ可読媒体を備え、前記命令は、
第１のアクセスポイントと１つまたは複数の第２のアクセスポイントとの間にアクセスポイント間通信リンクを確立することと、
前記アクセスポイント間通信リンクを介して前記１つまたは複数の第２のアクセスポイントから１つまたは複数の性能統計を、前記第１のアクセスポイントにおいて受信することと、
前記受信された性能統計と、前記受信された性能統計に少なくとも部分的に基づいたモバイルデバイスと前記１つまたは複数の第２のアクセスポイントの間の確立された通信とに少なくとも部分的に基づいて、前記モバイルデバイス前記第１のアクセスポイントの間の確立された通信を、前記第１のアクセスポイントによって、管理することと、
前記受信された性能統計に少なくとも部分的に基づいて、前記モバイルデバイスと前記１つまたは複数の第２のアクセスポイントとの間の前記確立された通信に、前記モバイルデバイスと前記第１のアクセスポイントとの間の前記確立された通信のデータフローの一部を移送することと
を行うためにプロセッサによって実行可能である、コンピュータプログラム製品。
【請求項３１】
前記モバイルデバイスへのまたはそれからの通信を管理することは、少なくとも、前記第１のアクセスポイントと前記１つまたは複数の第２のアクセスポイントとの間でのリソースの集中スケジューリング、キャリア割振り、またはデータフローのうちの１つまたは複数を管理することを備える、請求項３０に記載のコンピュータプログラム製品。